(57)【要約】【課題】強度等を犠牲にすることなく、小型化を実現することができる、新規な構造のハーネスプロテクタを提供すること。【解決手段】ワイヤハーネス１２を収容する樋形状のプロテクタ本体１４と、プロテクタ本体１４の上方開口部１６を覆う蓋体１８とを含み、水平に延び出すリーンフォース７２の外周面において、リーンフォース７２の長手方向に沿わせて配設される一方、プロテクタ本体１４の底壁２０と底壁２０の幅方向両端部からリーンフォース７２に向かって突出形成した一対のリブ２４，２４によって構成された係合凹部３０がリーンフォース７２の外周面に沿って係合され、底壁２０に突設されたクランプ部６４がリーンフォース７２の取付孔７４に嵌合されることにより、リーンフォース７２に保持されているハーネスプロテクタ１０において、一対のリブ２４，２４の内部を、プロテクタ本体１４の内部空間と連通する凹溝２６が形成された中空構造とした。【選択図】図１
2016135037.tif 000002
【特許請求の範囲】
【請求項１】
ワイヤハーネスを収容する樋形状のプロテクタ本体と、該プロテクタ本体の上方開口部を覆う蓋体とを含み、
水平に延び出すリーンフォースの外周面において、該リーンフォースの長手方向に沿わせて配設される一方、前記プロテクタ本体の底壁と該底壁の幅方向両端部から前記リーンフォースに向かって突出形成した一対のリブによって構成された係合凹部が前記リーンフォースの前記外周面に沿って係合されると共に、前記底壁に突設されたクランプ部が前記リーンフォースの取付孔に嵌合されることにより、前記リーンフォースに保持されているハーネスプロテクタにおいて、
前記一対のリブの内部が、前記プロテクタ本体の内部空間と連通する凹溝が形成された中空構造とされている
ことを特徴とするハーネスプロテクタ。
【請求項２】
前記プロテクタ本体と前記蓋体の少なくとも一方には、前記長手方向の一方の端部から前記長手方向に沿って延び出して前記ワイヤハーネスに結束固定される固定片が設けられている請求項１に記載のハーネスプロテクタ。
【請求項３】
前記一対のリブに構成された前記凹溝の一方にアンテナ線が収容されている一方、前記凹溝の他方に信号線が収容されている請求項１又は２に記載のハーネスプロテクタ。
【請求項４】
前記プロテクタ本体と前記蓋体を相互に連結固定するロック機構が、前記プロテクタ本体の一対の側壁外面に設けられた被ロック部と前記蓋体の幅方向両端縁部に設けられたロック部によって構成されており、前記蓋体の幅方向一方の端縁部に設けられた前記ロック部が、撓み部を介して前記蓋体の幅方向一方の端縁部に連結されている請求項１〜３の何れか１項に記載のハーネスプロテクタ。
【請求項５】
前記プロテクタ本体と前記蓋体を相互に連結固定するロック機構が、前記プロテクタ本体の一対の側壁上面に設けられて長手方向の全長に亘って延びる上方開口溝部と、前記蓋体の幅方向両端縁部下方に向かって突設されて長手方向の全長に亘って延びる下方開口溝部によって構成されている請求項１〜３の何れか１項に記載のハーネスプロテクタ。
【発明の詳細な説明】
【技術分野】
【０００１】
本発明は、ワイヤハーネスを保持して自動車のインストルメントパネルのリーンフォース等に取り付けるためのハーネスプロテクタに関するものである。
【背景技術】
【０００２】
従来から、自動車のインストルメントパネル（インパネ）等において水平に長く延びるリーンフォース（補強金属パイプ）に対してワイヤハーネスを沿わせて取り付けるために、ワイヤハーネスを収容保持しつつ他部材との干渉を防止するハーネスプロテクタが用いられている。
【０００３】
ところで、このようなハーネスプロテクタには、特開２００６−３２００９６号公報（特許文献１）等の図１及び図５に記載されているように、底壁部の下面の幅方向の両側に一対の脚部が長手方向に延在していると共に、底壁部の下面の幅方向の中央部分にクリップ部が突設されている。それ故、ワイヤハーネスを収容保持したハーネスプロテクタをリーンフォースに取り付ける際に、リーンフォースの取付孔にクリップ部を挿し込み固定することにより、ハーネスプロテクタの底壁部の下面の幅方向の中央部分と一対の脚部によって、ハーネスプロテクタがリーンフォースに対して保持されるようになっている。
【０００４】
ところが、従来構造のハーネスプロテクタではこのようにハーネスプロテクタがリーンフォースの外周面の周方向の狭い範囲で支持されていることから、自動車の走行時の振動等によりハーネスプロテクタがリーンフォースに対してがたつくことで、ハーネスプロテクタやリーンフォース等が傷ついたり、他部材と干渉するおそれがあった。また、水平に長く延びるリーンフォースに沿わせて取り付けるために、ハーネスプロテクタ自身も長く形成されている。それ故、ハーネスプロテクタ自身が曲がらないように十分な剛性を有している必要があり、そのために通常ハーネスプロテクタは肉厚に構成されていることから、ハーネスプロテクタの大型化が避けられず、省スペース化に反するという問題が生じていた。
【０００５】
そこで、特開２０１２−５５１０５号公報（特許文献２）の図３（ｂ）に記載されているように、ハーネスプロテクタの底壁の下面の幅方向の両側に一対のリブを突設することにより、ハーネスプロテクタの底壁の下面に湾曲凹部を設ける構造が提案されている。かかる構造のハーネスプロテクタによれば、湾曲凹部をリーンフォースの外周面の周方向の広い範囲に係合させることができることから、リーンフォースに対してハーネスプロテクタをより強固に保持できる。また、ハーネスプロテクタの底壁の下面に一対のリブを突設されてハーネスプロテクタの剛性が向上されていることから、ハーネスプロテクタの薄肉化すなわちハーネスプロテクタの小型化が可能となる。
【０００６】
しかしながら、ハーネスプロテクタの底壁の下面に大きな一対のリブが突設されていることから、ハーネスプロテクタの十分な小型化が困難となるおそれがあった。
【先行技術文献】
【特許文献】
【０００７】
【特許文献１】特開２００６−３２００９６号公報
【特許文献２】特開２０１２−５５１０５号公報
【発明の概要】
【発明が解決しようとする課題】
【０００８】
本発明は、上述の事情を背景に為されたものであって、その解決課題は、強度等を犠牲にすることなく、小型化を実現することができる、新規な構造のハーネスプロテクタを提供することにある。
【課題を解決するための手段】
【０００９】
本発明の第一の態様は、ワイヤハーネスを収容する樋形状のプロテクタ本体と、該プロテクタ本体の上方開口部を覆う蓋体とを含み、水平に延び出すリーンフォースの外周面において、該リーンフォースの長手方向に沿わせて配設される一方、前記プロテクタ本体の底壁と該底壁の幅方向両端部から前記リーンフォースに向かって突出形成した一対のリブによって構成された係合凹部が前記リーンフォースの前記外周面に沿って係合されると共に、前記底壁に突設されたクランプ部が前記リーンフォースの取付孔に嵌合されることにより、前記リーンフォースに保持されているハーネスプロテクタにおいて、前記一対のリブの内部が、前記プロテクタ本体の内部空間と連通する凹溝が形成された中空構造とされていることを特徴とする。
【００１０】
本態様によれば、リブの内部がプロテクタ本体の内部空間と連通する凹溝によって中空構造とされている。これにより、リブが内部を中実とされた従来構造のものに比して、凹溝の部分だけワイヤハーネスが収容保持されるワイヤハーネス収容空間を増やすことができる。また、ハーネスプロテクタの剛性はリブの壁部によって保たれていることから、リブの内部を中空構造にしたことによるハーネスプロテクタの剛性低下はほとんど生じない。それ故、ワイヤハーネス収容空間を維持しながら、凹溝の容積分だけプロテクタ本体の容積（高さ）を小さくすることができ、ハーネスプロテクタの小型化を実現することができる。
【００１１】
本発明の第二の態様は、前記第一の態様に記載のものにおいて、前記プロテクタ本体と前記蓋体の少なくとも一方には、前記長手方向の一方の端部から前記長手方向に沿って延び出して前記ワイヤハーネスに結束固定される固定片が設けられているものである。
【００１２】
本態様によれば、プロテクタ本体と蓋体の少なくとも一方の端部に、固定片が設けられている。ハーネスプロテクタ内はワイヤハーネスを結束固定することなく収容するだけで保持されることから、固定片とワイヤハーネスをテープ巻き等により結束固定するだけで、ワイヤハーネスを保持固定することができ、作業時間の短縮を図ることができる。
【００１３】
本発明の第三の態様は、前記第一又は第二の態様に記載のものにおいて、前記一対のリブに構成された前記凹溝の一方にアンテナ線が収容されている一方、前記凹溝の他方に信号線が収容されているものである。
【００１４】
本態様によれば、一方の凹溝にアンテナ線が収容されている一方、他方の凹溝にＵＳＢケーブル等の信号線が収容されている。これにより、高速の信号を扱うが故に比較的大きなノイズを発生するＵＳＢケーブル等の信号線と、扱う信号レベルの極めて小さいアンテナ線を十分に離すことができることから、ＵＳＢケーブル等の信号線からアンテナ線へのノイズの飛込みを十分に防止することができる。
【００１５】
本発明の第四の態様は、前記第一乃至第三の何れか一つの態様に記載のものにおいて、前記プロテクタ本体と前記蓋体を相互に連結固定するロック機構が、前記プロテクタ本体の一対の側壁外面に設けられた被ロック部と前記蓋体の幅方向両端縁部に設けられたロック部によって構成されており、前記蓋体の幅方向一方の端縁部に設けられた前記ロック部が、撓み部を介して前記蓋体の幅方向一方の端縁部に連結されているものである。
【００１６】
本態様によれば、プロテクタ本体の一対の側壁外面に設けられた被ロック部と蓋体の幅方向両端縁部に設けられたロック部によって、プロテクタ本体と蓋体を連結固定するロック機構が構成されており、蓋体の一方の側に設けられたロック部が撓み部を介して蓋体の幅方向一方の端縁部に連結されている。これにより、プロテクタ本体の上方開口部を蓋体によって覆蓋する際に、まず蓋体の幅方向他方の端縁部に設けられたロック部をプロテクタ本体の被ロック部に係合した後、蓋体の幅方向一方の端縁部をプロテクタ本体に向かって回動し、撓み部により増大された変形量を利用して、蓋体の幅方向一方の端縁部に設けられたロック部をプロテクタ本体の被ロック部に容易に係合することができる。それ故、従来の如き蓋体の幅方向両端縁部に設けられたロック部をプロテクタ本体の被ロック部に一時に係合する場合に比して、係合に必要な力の低減を図りつつロック部と被ロック部の位置合わせも容易に行うことができる。また、一方の端縁部に設けられたロック部が撓み部を介して蓋体の幅方向一方の端縁部に連結されて弾性変形が容易であることから、より少ない挿入力でもって被ロック部に係合させることができる。
【００１７】
本発明の第五の態様は、前記第一乃至第三の何れか一つの態様に記載のものにおいて、前記プロテクタ本体と前記蓋体を相互に連結固定するロック機構が、前記プロテクタ本体の一対の側壁上面に設けられて長手方向の全長に亘って延びる上方開口溝部と、前記蓋体の幅方向両端縁部下方に向かって突設されて長手方向の全長に亘って延びる下方開口溝部によって構成されているものである。
【００１８】
本態様によれば、プロテクタ本体と蓋体を相互に連結固定するロック機構が、それぞれ相手側に向かって突出する上方開口溝部と下方開口溝部によって構成されていることから、押し出し成形によってプロテクタ本体と蓋体を形成することが可能となり、低コスト化を実現できる。また、上方開口溝部と下方開口溝部がプロテクタ本体と蓋体の長手方向の全長に亘って設けられていることから、プロテクタ本体と蓋体をより強固に係合保持することができる。
【発明の効果】
【００１９】
本発明によれば、リブの内部がプロテクタ本体の内部空間と連通する凹溝が形成された中空構造とされていることから、内部を中実とされた従来に比して、凹溝の部分だけワイヤハーネス収容空間を増やすことができる。また、ハーネスプロテクタの剛性はリブの壁部によって保たれることから、リブの内部を中空にしたことによるハーネスプロテクタの剛性低下は殆んど生じない。それ故、ワイヤハーネス収容空間を維持しつつハーネスプロテクタの小型化を実現できる。
【図面の簡単な説明】
【００２０】
【図１】本発明の一実施形態としてのハーネスプロテクタの斜視図（リーンフォースへ組み付け、ワイヤハーネスを収容した状態）。
【図２】図１に示すハーネスプロテクタの正面図。
【図３】図１に示すハーネスプロテクタのプロテクタ本体の斜視図。
【図４】図１に示すハーネスプロテクタの蓋体の斜視図。
【図５】本実施形態のハーネスプロテクタのロック機構の他の態様を示す正面図（（ａ）嵌合前、（ｂ）嵌合後）。
【発明を実施するための形態】
【００２１】
以下、本発明の実施形態について、図面を参照しつつ説明する。
【００２２】
先ず、図１〜４には、本発明の一実施形態としてのハーネスプロテクタ１０が、示されている。かかるハーネスプロテクタ１０は、ワイヤハーネス１２を収容する樋形状のプロテクタ本体１４と、プロテクタ本体１４の上方開口部１６を覆う蓋体１８と、を含んで構成されている。なお、理解を容易とするために、図１〜２においてワイヤハーネス１２を仮想線で示すと共に、図１においてはプロテクタ本体１４の上方開口部１６を覆う蓋体１８の一部だけを記載している。また、以下の説明において、上方とは、図２中の上方、下方とは、図２中の下方、また前方とは、図１中の左方、後方とは、図１中の右方を言うものとする。
【００２３】
図１〜３に示されているように、プロテクタ本体１４は、底壁２０と底壁２０の両側から立ち上がる一対の側壁２２，２２、を含んで樋状に延びる構成とされており、例えばポリプロピレン（ＰＰ）、ポリアミド（ＰＡ）等の合成樹脂により射出成形等によって一体形成されている。また、プロテクタ本体１４の底壁２０の幅方向両端部には、下方すなわち後述するリーンフォース７２側に向かって錘状に突出する一対のリブ２４，２４が設けられている。一対のリブ２４，２４の内部には、プロテクタ本体１４の内部空間と連通する凹溝２６が形成されている。これにより、一対のリブ２４，２４は略Ｖ字断面形状でプロテクタ本体１４の長手方向に延出する中空構造とされている。さらに、プロテクタ本体１４の底面２８には、底壁２０の外面と一対のリブ２４，２４の外面によって画成される係合凹部３０が構成されている。係合凹部３０は、下方に向かって開口すると共にプロテクタ本体１４の長手方向に全長に亘って設けられている。
【００２４】
図１，３に示されているように、プロテクタ本体１４の底壁２０の長手方向に離隔する複数箇所（本実施形態では２箇所）にはクランプ固定部３２が設けられている。このクランプ固定部３２に対して後述するクランプ部６４の図示しないロック部が嵌合固定されるようになっている。また、プロテクタ本体１４の底壁２０の長手方向の後端部には、長手方向に沿って延び出す平面視で略矩形状の固定片３４が設けられており、固定片３４の突出端部の幅方向の両端部には幅方向外方に向かって突出するテープ抜け止め突起３６が設けられている。かかる固定片３４は、プロテクタ本体１４内に収容されたワイヤハーネス１２に対して図示しない結束テープ等により結束固定されるようになっており、テープ抜け止め突起３６は結束テープ等の抜け止めのために設けられている。
【００２５】
図１〜３に示されているように、プロテクタ本体１４の一対の側壁２２，２２の外面の上方には、外方に向かって突出する矩形状の被ロック部たる係合枠３８が設けられており、係合枠３８の中央部には上下方向に貫通する係合孔４０が設けられている。なお、本実施形態では、係合枠３８は、一対の側壁２２，２２に対してそれぞれ８個（図１）あるいは１５個（図３）ずつ設けられているが、長手方向に離隔して、必要に応じてそれぞれ任意の数を設けてもよい。
【００２６】
一方、図１〜２及び図４に示されているように、蓋体１８は、上壁４２と、上壁４２の幅方向両端縁部において下方すなわちプロテクタ本体１４側に向かって突出する略矩形状のロック部たる一対の係合突起４４，４４、を含んで構成されている（図２参照）。一対の係合突起４４，４４はいずれも、下方すなわちプロテクタ本体１４側に向かって突出する垂壁部４８と、垂壁部４８から外方に向かって突出する略三角断面形状のロック突部５０を含んで構成されている（図４参照）。なお、蓋体１８の幅方向一方の端縁部においては、係合突起４４は、上下方向に向かってクランク状に延び出す撓み部５２を介して蓋体１８の幅方向一方の端縁部に連結されている（図２，４参照）。また、本実施形態では、係合突起４４は、蓋体１８の長手方向で相互に離隔する３箇所に形成されている。さらに、蓋体１８はプロテクタ本体１４と同じく、例えばポリプロピレン（ＰＰ）、ポリアミド（ＰＡ）等の合成樹脂により射出成形等によって一体形成されている一方、プロテクタ本体１４とは別体成形とされている。
【００２７】
図１，４に示されているように、蓋体１８の上壁４２の長手方向に離隔する複数箇所（本実施形態では３箇所）にはコネクタ固定部５４が設けられており、かかるコネクタ固定部５４に対して図示しないコネクタが連結固定されるようになっている。また、各コネクタ固定部５４の両側には、上壁４２の幅方向の全長に亘って延びるリブ５８が設けられており、コネクタ固定部５４に連結固定されたコネクタが安定して載置されるようになっている。加えて、蓋体１８の上壁４２の長手方向の後端部には、長手方向に沿って延び出す平面視で略矩形状の固定片６０が設けられており、固定片６０の突出端部の幅方向の両端部には幅方向外方に向かって突出するテープ抜け止め突起６２が設けられている。かかる固定片６０は、蓋体１８がプロテクタ本体１４の後端部に配設された際に、プロテクタ本体１４内に収容されたワイヤハーネス１２に対して図示しない結束テープ等により結束固定されるようになっており、テープ抜け止め突起６２は結束テープ等の抜け止めのために設けられている。
【００２８】
このような構造とされたハーネスプロテクタ１０の組み付け方法について、以下に説明を行う。先ず、プロテクタ本体１４のクランプ固定部３２に対して下方からクランプ部６４の基端部に設けられた図示しないロック部を嵌合固定する（図２参照）。これにより、プロテクタ本体１４の底壁２０にクランプ部６４が突設された状態となる。なお、クランプ部６４は、基端側に設けられた円盤状の皿部６６と、皿部６６から上方に向かって突出する支柱６８と、支柱６８の先端側に設けられ矢印状に折り返して突設された一対の係止部７０，７０を備えて構成されている。次に、プロテクタ本体１４内にワイヤハーネス１２を収容する。より詳細には、図１〜２に示されているように、電線群１２ａを底壁２０上に配設する一方、一対のリブ２４，２４に構成された凹溝２６の一方に例えばフィーダー線等からなるアンテナ線１２ｂを収容すると共に、一対のリブ２４，２４に構成された凹溝２６の他方に例えばＵＳＢ（Ｕｎｉｖｅｒｓａｌ  Ｓｅｒｉａｌ  Ｂｕｓ）ケーブル等からなる信号線１２ｃを収容する。これにより、扱う信号レベルの極めて小さいアンテナ線１２ｂと、高速の信号を扱うが故に比較的大きなノイズを発生するＵＳＢケーブル等の信号線１２ｃを十分に離すことができることから、アンテナ線１２ｂへのＵＳＢケーブル等の信号線１２ｃからのノイズの飛込みを十分に防止することができるようになっている。
【００２９】
続いて、プロテクタ本体１４の上方開口部１６を複数（例えば４つ）の蓋体１８で覆う。より詳細には、プロテクタ本体１４の係合枠３８の係合孔４０に対して、蓋体１８の幅方向他方の端縁部に設けられた係合突起４４を挿入して、係合枠３８と係合突起４４のロック突部５０を係合させることにより、プロテクタ本体１４の側壁２２に対して蓋体１８の幅方向他方の端縁部を連結する。そして、蓋体１８の幅方向他方の端縁部を回動中心として、蓋体１８の幅方向一方の端縁部をプロテクタ本体１４に向かって回動させることにより、プロテクタ本体１４の係合枠３８の係合孔４０に対して、蓋体１８の幅方向一方の端縁部に設けられた係合突起４４を挿入する。これにより、係合枠３８と係合突起４４のロック突部５０が係合されて、プロテクタ本体１４の側壁２２に対して蓋体１８の幅方向一方の端縁部が撓み部５２を介して連結される。すなわち、プロテクタ本体１４と蓋体１８を相互に連結固定するロック機構が、プロテクタ本体１４の係合枠３８と蓋体１８の係合突起４４によって構成されているのである。
【００３０】
このように、プロテクタ本体１４の上方開口部１６を蓋体１８で覆う際に、まず蓋体１８の幅方向他方の端縁部をプロテクタ本体１４に係合した後、蓋体１８の幅方向一方の端縁部をプロテクタ本体１４に向かって回動して、蓋体１８の幅方向一方の端縁部に設けられた係合突起４４がプロテクタ本体１４の係合枠３８に係合されるようになっている。それ故、従来の如き蓋体１８の幅方向両端縁部に設けられた係合突起４４をプロテクタ本体１４の係合枠３８に一時に係合する場合に比して、係合に必要な力の低減を図りつつ係合突起４４と係合枠３８の位置合わせも容易に行うことができるのである。また、係合突起４４が蓋体１８の幅方向一方の端縁部に撓み部５２を介して連結されていることから、撓み部５２により増大された係合突起４４の弾性変形量を利用することにより、蓋体１８の幅方向一方の端縁部に設けられた係合突起４４をプロテクタ本体１４の係合枠３８に容易に係合することができる。
【００３１】
次に、プロテクタ本体１４内に収容されたワイヤハーネス１２を図示しない結束テープ等により固定片３４に対して結束固定することにより、ワイヤハーネス１２が収容保持されたハーネスプロテクタ１０が構成される（図１参照）。ハーネスプロテクタ１０内はワイヤハーネス１２を結束固定しなくて収容するだけで保持されることから、固定片３４とワイヤハーネス１２をテープ巻き等により結束固定するだけで、ワイヤハーネス１２を保持固定することができ、作業時間の短縮を図ることができるようになっている。
【００３２】
最後に、このように構成されたハーネスプロテクタ１０を、図１に示されているように、水平に延び出すリーンフォース７２の外周面に対して、リーンフォース７２の長手方向に沿わせて配設する。より詳細には、ハーネスプロテクタ１０の係合凹部３０をリーンフォース７２の外周面に係合すると共に、ハーネスプロテクタ１０の底壁２０に突設されたクランプ部６４をリーンフォース７２の取付孔７４に嵌合することにより、リーンフォース７２に対してハーネスプロテクタ１０を保持できるのである。この際、図２に示されているように、クランプ部６４の皿部６６がリーンフォース７２の外周面に当接されている一方、クランプ部６４の一対の係止部７０，７０が取付孔７４に挿入後に弾性復帰して拡がることで抜け止めがなされ、リーンフォース７２に対してハーネスプロテクタ１０が安定的に保持されるようになっている。
【００３３】
上述の如き構造の本実施形態のハーネスプロテクタ１０によれば、一対のリブ２４，２４の内部にプロテクタ本体１４の内部空間と連通する凹溝２６が形成されて中空構造とされている。これにより、リブの内部が中実とされた従来構造のものに比して、凹溝２６の部分だけプロテクタ本体１４におけるワイヤハーネス１２の収容空間を増やすことができる。なお、ハーネスプロテクタ１０のプロテクタ本体１４の剛性は一対のリブ２４，２４の壁部によって保たれていることから、一対のリブ２４，２４の内部を中空にしたことによるハーネスプロテクタのプロテクタ本体１４の剛性低下はほとんど生じない。それ故、ワイヤハーネス１２の収容空間を維持しながら、凹溝２６の容積分だけプロテクタ本体１４の容積（高さ）を小さくすることができ、ハーネスプロテクタ１０の小型化を実現することができるのである。
【００３４】
次に、図５を用いて、本発明のハーネスプロテクタ１０のロック機構の他の態様について詳述するが、上記実施形態と同様な構造とされた部材および部位については、図中に、上記実施形態と同一の符号を付することにより、それらの詳細な説明を省略する。すなわち、かかるハーネスプロテクタ７６は、プロテクタ本体７８と蓋体８０を相互に連結固定するロック機構が、プロテクタ本体７８の上方開口溝部８２と、蓋体８０の下方開口溝部８４によって構成されている点に関して、上記実施形態と異なる実施形態を示すものである。より詳細には、上方開口溝部８２は、プロテクタ本体７８の一対の側壁２２，２２の上面に設けられて、長手方向の全長に亘って延びると共に上方に開口するように形成されている。また、上方開口溝部８２の開口部端縁部には、内方に向かって突出する一対の係合リブ８６，８６が設けられている。一方、下方開口溝部８４は、蓋体８０の幅方向両端縁部下方に向かって突設されて長手方向の全長に亘って延びると共に下方に開口するように形成されている。また、下方開口溝部８４の開口部端縁部には、内方に向かって突出する一対の係合リブ８８，８８が設けられている。なお、プロテクタ本体７８の上方開口溝部８２と蓋体８０の下方開口溝部８４の嵌合は、上方開口溝部８２と下方開口溝部８４を対向した状態（図５（ａ）参照）で、上方開口溝部８２を構成する壁部の一方を下方開口溝部８４の開口部に挿入することにより行われる。より詳細には、上方開口溝部８２を構成する壁部の一方に設けられた係合リブ８６が下方開口溝部８４の開口部を押し広げることにより、挿入が許容される。一方、挿入後は、押し広げられた開口部が元に戻る（弾性復帰する）ことにより、抜け止めがなされるようになっている（図５（ｂ）参照）。
【００３５】
本実施形態では、プロテクタ本体７８と蓋体８０を相互に連結固定するロック機構が、それぞれ相手側に向かって突出する上方開口溝部８２と下方開口溝部８４によって構成されていることから、押し出し成形によってプロテクタ本体７８と蓋体８０を形成することが可能となっており、低コスト化を実現できる。また、プロテクタ本体７８と蓋体８０がプロテクタ本体７８と蓋体８０の長手方向の全長に亘って設けられていることから、プロテクタ本体７８と蓋体８０をより強固に係合保持することができるようになっている。なお、ロック機構以外の構造は上記実施形態と同じとされていることから、上記実施形態と同様に、凹溝２６の部分だけワイヤハーネス１２が収容保持される空間を増やせる他、ノイズを発生する信号線１２ｃと扱う信号レベルの極めて小さいアンテナ線１２ｂを十分に離すことができると共に、固定片３４とワイヤハーネス１２をテープ巻き等により結束固定するだけで、ワイヤハーネス１２を保持固定することができる、等の効果を得ることができる。
【００３６】
以上、本発明の一実施形態について説明してきたが、これはあくまでも例示であって、本発明は、かかる実施形態における具体的な記載によって、何等、限定的に解釈されるものではない。
【００３７】
例えば、上記実施形態では、ワイヤハーネス１２をテープ巻き等により結束固定する固定片３４はプロテクタ本体１４に設けられていたが、蓋体１８をプロテクタ本体１４の後端部に配設することにより、蓋体１８の固定片６０に対してワイヤハーネス１２をテープ巻き等により結束固定するようにしてもよい。また、プロテクタ本体１４と蓋体１８を相互に連結固定するロック機構は例示のものに限定されず、公知の任意のロック機構が採用可能である。
【００３８】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【符号の説明】
【００３９】
１０，７６：ハーネスプロテクタ、１２：ワイヤハーネス、１２ｂ：アンテナ線、１２ｃ：信号線、１４，７８：プロテクタ本体、１６：上方開口部、１８、８０：蓋体、２０：底壁、２２：側壁、２４：リブ、２６：凹溝、３０：係合凹部、３４：固定片、３８：係合枠（被ロック部）（ロック機構）、４４：係合突起（ロック部）（ロック機構）、５２：撓み部、６０：固定片、６４：クランプ部、７２：リーンフォース、７４：取付孔、７６：ハーネスプロテクタ（他の態様）、７８：プロテクタ本体、８０：蓋体、８２：上方開口溝部（ロック機構）、８４：下方開口溝部（ロック機構）
【図１】
2016135037.tif 000003
【図２】
2016135037.tif 000004
【図３】
2016135037.tif 000005
【図４】
2016135037.tif 000006
【図５】
2016135037.tif 000007